(57)【要約】【課題】任意の商用交流電源電圧を制御部に入力しても、一定の１次側定格電流で商用交流変換電源トランス以降を保護する。【課題を解決するための手段】ＡＣ１００ＶまたはＡＣ１１７ＶまたはＡＣ２３０Ｖを入力する制御部と概制御部から２次側交流電圧の供給を受ける撮像部とを備える撮像装置において、商用交流変換電源トランスと概商用交流変換電源トランスの１次側商用交流入力電圧切替部と概商用交流変換電源トランスの１次側商用交流入力のＡＣ０Ｖに直列接続した複数のサーキットブレーカとを有し、入力した商用交流電源電圧の種類に適した切替に前記商用交流変換電源トランスの１次側商用交流入力電圧切替部の切替を設定し、前記商用交流変換電源トランスの１次側に入力した前記商用交流電源電圧を印加し、前記商用交流変換電源トランスの２次側に、ＡＣ２３０Ｖを出力し、前記撮像部に供給する。【選択図】図１
2011182489.tif 000002
【特許請求の範囲】
【請求項１】
複数種類の商用交流電源電圧を入力する制御部と概制御部から２次側交流電圧の供給を受ける撮像部とを備える撮像装置において、商用交流変換電源トランスと概商用交流変換電源トランスの１次側商用交流入力電圧切替部と概商用交流変換電源トランスの１次側商用交流入力の共通巻線（ＡＣ０Ｖ）に直列接続した複数のサーキットブレーカとを有し、入力した商用交流電源電圧の種類に適した切替に前記商用交流変換電源トランスの１次側商用交流入力電圧切替部の切替を設定し、前記商用交流変換電源トランスの１次側に入力した前記商用交流電源電圧を印加し、前記商用交流変換電源トランスの２次側に、一定の２次側交流電圧（ＡＣ２３０Ｖ）を出力し、前記撮像部に供給することを特徴とする撮像装置の制御部。
【発明の詳細な説明】
【技術分野】
【０００１】
本発明は、撮像装置に用いる制御部における電源に関するものである。
【背景技術】
【０００２】
従来、テレビジョンカメラシステムでは撮像部（カメラヘッド）と接続された制御部（Camera-Control-Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョンでは、本線映像信号，送り返し映像信号，音声信号，コントロール用シリアルデータ信号の送受信伝送と電源供給送を光ケーブルで用いる方が一般であるが、トライアックスケーブルを施設に敷設してある場合は、デジタルトライアックスシステムを用いる。
【０００４】
制御部に入力する商用交流入力電源電圧は一般にＡＣ１００ＶとＡＣ１１７ＶとＡＣ２３０Ｖであり、撮像部給送する電源電圧は一般にＡＣ２３０Ｖである。
【０００５】
図３は従来技術の制御部の電源の供給を示すブロック図である。従来は、制御部５の電源トランスの１次側にタップを設け、入力する商用交流入力電源電圧により、タップの切換を行っていた。
図４は従来技術での各商用交流入力電源電圧時のタップ設定の模式図である。例えば、入力する商用交流入力電源電圧がＡＣ１１７Ｖの場合には、図４（ａ）に示すようにタップの設定を行い、ＡＣ１００Ｖでは図４（ｂ）、ＡＣ２３０Ｖでは図４（ｃ）にタップの設定を行っていた。
【０００６】
従来は、ＡＣ入力電源の保護回路として、ヒューズを使用していた。
例えば、ＡＣ入力電源電圧がＡＣ１００Ｖ/ＡＣ１１７Ｖの時には、定格電流が多いヒューズを使用し、ＡＣ２３０Ｖの時には、定格電流が少ないヒューズを使用していた。この場合、電源電圧をＡＣ１００Ｖ/ＡＣ１１７Ｖ⇔ＡＣ２３０Ｖの変更が生じた際には、ヒューズの交換が必要となる。また、誤ってヒューズを未交換で電源電圧を変更してしまうと、ヒューズを切断しまう事になる。
【先行技術文献】
【特許文献】
【０００７】
【特許文献１】特開平７−２０３３９９号公報
【発明の概要】
【発明が解決しようとする課題】
【０００８】
任意の商用交流電源電圧を制御部に入力しても、一定の１次側定格電流で商用交流変換電源トランス以降を保護することが本発明の目的である。
【課題を解決するための手段】
【０００９】
本発明は、上記課題を解決するため、複数種類の商用交流電源電圧を入力する制御部と概制御部から２次側交流電圧の供給を受ける撮像部とを備える撮像装置において、商用交流変換電源トランスと概商用交流変換電源トランスの１次側商用交流入力電圧切替部と概商用交流変換電源トランスの１次側商用交流入力の共通巻線（ＡＣ０Ｖ）に直列接続した複数のサーキットブレーカとを有し、入力した商用交流電源電圧の種類に適した切替に前記商用交流変換電源トランスの１次側商用交流入力電圧切替部の切替を設定し、前記商用交流変換電源トランスの１次側に入力した前記商用交流電源電圧を印加し、前記商用交流変換電源トランスの２次側に、一定の２次側交流電圧（ＡＣ２３０Ｖ）を出力し、前記撮像部に供給することを特徴とする撮像装置の制御部である。
【発明の効果】
【００１０】
本発明によれば、任意の商用交流電源電圧を制御部に入力しても、複数のサーキットブレーカで、商用交流変換電源トランス以降を保護することができる。
【図面の簡単な説明】
【００１１】
【図１】本発明の一実施例の制御部と撮像部とを含む撮像装置の電源の供給を示すブロック図
【図２】本発明の一実施例の電源トランス一次側の配線図
【図３】従来技術の制御部の電源の供給を示すブロック図
【図４】従来技術での各商用交流入力電源電圧時のタップ設定の模式図（（ａ）ＡＣ１１７Ｖ、（ｂ）ＡＣ１００Ｖ、（ｃ）ＡＣ２３０Ｖ）
【発明を実施するための形態】
【実施例１】
【００１２】
本発明による撮像装置の一実施例の動作の概要を本発明の一実施例の制御部と撮像部とを含む撮像装置の電源の供給を示すブロック図の図１と本発明の一実施例の電源トランス一次側の配線図の図２とを用いて説明する。
【００１３】
本発明の一実施例の制御部と撮像部とを含む撮像装置の電源を示すブロック図の図１において、１は制御部、２と３は光ケーブルコネクタまたはトライアックスコネクタ、４は光ケーブルまたはトライアックスケーブル、５は撮像部である。１次側商用交流入力電圧切替部の例としては商用交流入力電圧切替スイッチ(以下ＳＷ)の１０７と１０８と、ＳＴＢＹ/ＭＡＩＮ切換部の１１２である。
商用交流入力電源電圧は一般にＡＣ１００ＶとＡＣ１１７ＶとＡＣ２３０Ｖであり、本実施例では、２と３は光ケーブルコネクタで４は光ケーブルで商用交流入力電源電圧がＡＣ１１７Ｖの時について説明する。
【００１４】
撮像装置の例としての放送用テレビジョンカメラ装置では、準備（ＳＴＢＹ）動作と通常運用（ＭＡＩＮ）動作があり、ＳＴＢＹ動作ではテレビジョンカメラと制御部間の伝送のチェックを行い、伝送距離を設定する。
その後、ＭＡＩＮ状態に切換を行い、通常運用を開始する。
【００１５】
図１において、ＳＴＢＹ動作時に商用交流入力電源電圧ＡＣ１１７Ｖは、ＡＣインデッド１０１から制御部１内に入力され、電源スイッチ１０２を通り（スイッチはＯＮ状態）、ＡＣ/ＤＣコンバータ１０９に入力される。ＡＣ/ＤＣコンバータ１０９ではＡＣ１１７ＶからＤＣ＋１２Ｖへ変換を行う。ＤＣ/ＤＣコンバータ１１１では、ＤＣ＋１２ＶからＤＣ＋３６Ｖへ変換を行う。ＣＰＵ１１３からの制御により、ＳＴＢＹ/ＭＡＩＮ切換部１１２はＳＴＢＹ側に設定されており、光ケーブル４を通して、撮像部５へＤＣ３６Ｖが伝送される。
前記ＤＣ＋３６Ｖが制御部からテレビジョンカメラに伝送され、機器間の伝送確認が完了すると、ＣＰＵ１１３の制御でＳＴＢＹ/ＭＡＩＮ切換部１１２はＭＡＩＮ側に切換り、テレビジョンカメラと制御部及伝送はＭＡＩＮ動作になる。
【００１６】
ＭＡＩＮ動作では、ＡＣ１１７ＶはＡＣ１１７Ｖに設定されたスイッチ設定部１０７と１０８とを通り、商用交流変換電源トランス１０６の１次側商用交流入力の共通巻線の配線（ＡＣ０Ｖ）に挿入されたサーキットブレーカ１０４及び１０５とを通り、電源トランス１０６の１次側に入力される。電源トランス１０６で、交流変換を行い、ＡＣ２３０Ｖが２次側より出力される。ＳＴＢＹ/ＭＡＩＮ切換部１１２を通り、ＡＣ２３０Ｖがテレビジョンカメラに伝送される。
【００１７】
図２は、本発明の一実施例の電源トランス一次側の配線図である。つまり、各電源電圧において、ＡＣ−ＳＷ基板のＳＷ設定を行った際の電源トランス一次側の配線図である。
本実施例では、比較のため、ＡＣ入力電源電圧がＡＣ１１７ＶとＡＣ２３０Ｖの場合について説明を行う。
【００１８】
初めに電源電圧がＡＣ１１７Ｖに時について説明を行う。
図１において、ＡＣ入力電源電圧:ＡＣ１１７Ｖは、ＡＣインデッド１０１から制御装置内に入力され、電源スイッチ１０２を通り（スイッチはＯＮ状態）、ＡＣ/ＤＣコンバータ１０７に入力される。ＡＣ/ＤＣコンバータ１０９ではＡＣ１１７ＶからＤＣ＋１２Ｖへ変換を行う。
このＤＣ＋１２Ｖは電源基板１１０に入力され、電源基板ではこの制御装置内で必要とする各ＤＣ電源が生成させる。同時にＡＣ１１７Ｖは、ＡＣ−ＳＷ基板１０３に入力される。この時、ＡＣ電源電圧の入力から電源トランス１０６の一次側までの配線は、ＡＣ−ＳＷ基板内のＳＷの１０５と１０６の設定を含め、図２の（ｂ）に示す通りである。
ＡＣ入力電源電圧がＡＣ１１７Ｖの場合、商用交流変換電源トランス１０６の１次側商用交流入力の共通巻線の配線（ＡＣ０Ｖ）に挿入されたサーキットブレーカ１０４及び１０５は、図２の（ｂ）の通り、並列接続であり、サーキットブレーカ１０４及び１０５の定格電流を足した値がＡＣ入力側での保護電流値となる。例えば、サーキットブレーカ１０４及び１０５の定格電流が１．６Ａとすると、ＡＣ入力側での保護電流値は３.２Ａとなる。
【００１９】
次に一次側入力電圧がＡＣ２３０Ｖの時について説明を行う。
ＡＣ２３０ＶがＡＣ−ＳＷ基板１０３に入力される時のＡＣ電源電圧の入力から電源トランスの一次側までの配線は、図２の（ｃ）に示す通りである。
ＡＣ入力電源電圧がＡＣ２３０Ｖの場合、商用交流変換電源トランス１０６の１次側商用交流入力の共通巻線の配線（ＡＣ０Ｖ）に挿入されたサーキットブレーカ１０４及び１０５は、図２の（ｃ）に示す通り、直列接続であり、サーキットブレーカ１０４及び１０５の定格電流はＡＣ１１７Ｖの時と同じく１.６Ａのため、ＡＣ入力側での保護電流値は１.６Ａとなる。
尚、ＡＣ１００Ｖの保護電流値は、図２の（ａ）に示す通り、３.２Ａとなる。
【００２０】
このように、ＡＣ−ＳＷ基板内のＳＷの設定を各ＡＣ電源電圧により変更する事で、商用交流変換電源トランス１０６の１次側商用交流入力の共通巻線の配線（ＡＣ０Ｖ）に挿入された二個のサーキットブレーカは、並列接続及び直列接続になり、ＡＣ入力側の保護電流は各ＡＣ電源電圧に適した値となる。
そのため、ＡＣ電源電圧の変更毎にサーキットブレーカの交換を行う必要は無く、ＡＣ−ＳＷ基板のＳＷ設定を変更するだけで良い。また、ＡＣ入力電源電圧に対し、ＳＷ設定を間違った場合でも、サーキットブレーカが遮断するだけで、サーキットブレーカの破損や制御装置の故障は無い。
【００２１】
上説明したような本発明によれば、制御装置内のＡＣ−ＳＷ基板内のＳＷ設定を各電源電圧により変更する事で、商用交流変換電源トランス１０６の１次側商用交流入力の共通巻線の配線（ＡＣ０Ｖ）に挿入された二個のサーキットブレーカは、ＡＣ１００Ｖ/ＡＣ１１７Ｖ入力の場合には並列設続のため、ＡＣ入力側では二個分のサーキットブレーカの保護電流値となり、ＡＣ２３０Ｖ入力の場合には直列接続のため、ＡＣ入力側では一個分のサーキットブレーカの保護電流値となり、ＡＣ入力電源の変更毎にサーキットブレーカの交換を行う必要は無く、ＡＣ入力電源の保護電流は各電源電圧に適した値となる。
ＡＣ入力電源の保護は電源電圧の変更毎にサーキットブレーカの交換を行う必要は無く、ＡＣ−ＳＷ基板のＳＷ設定を変更するだけで良い。また、ＡＣ入力電源に対し、ＳＷ設定を間違って場合でも、サーキットブレーカが遮断するだけで、サーキットブレーカの破損や制御装置の故障は無く、安全且つ故障の無い電源装置として運用する事ができる。
【符号の説明】
【００２２】
１，５：制御部、２，３：光ケーブルコネクタまたはトライアックスコネクタ、４：光ケーブルまたはトライアックスケーブル、
１０１，２０１：ＡＣインレッド、１０２，２０３：電源スイッチ、
１０３：入力電源圧基板、１０４，１０５：サーキットブレーカ、
１１２：ＳＴＢＹ/ＭＡＩＮ切換部、
１０７，１０８：スイッチ設定部、
１０８，２０７：ＡＣ/ＤＣコンバータ、１０６，２０５：電源トランス、
１１０，２０６：電源基板、１１１：ＤＣ/ＤＣコンバータ、１１３：ＣＰＵ、
２０２：ヒューズ、２０４:電源トランス用タップ、
【図１】
2011182489.tif 000003
【図２】
2011182489.tif 000004
【図３】
2011182489.tif 000005
【図４】
2011182489.tif 000006